(57)【要約】【課題】電気オーブンの排気筒挿入用の開口部を塞ぐ排気筒挿入カバーを本体の排気口の上から着脱できる。【解決手段】本体２後部に電気オーブン５０の排気筒５１挿入用の開口部２ａを設け、開口部２ａは排気部１３と連通し、開口部２ａを塞ぐ排気筒挿入カバー２０を設け、排気部１３内の上向き面に固定孔２２を設け、電気オーブン５０を使用せず排気筒５１を装着しない場合に排気口８の上から排気筒挿入カバー２０を排気部１３内の固定孔２２に固定ネジ２１で固定して開口部２ａを塞ぎ、電気オーブン５０の排気筒５１を排気口８から開口部１３に挿入して装着する際に排気口８の上から排気筒挿入カバー２０を取外しでき、排気筒５１を固定孔２２に固定ネジ２１で固定できることとした。【選択図】  図６
2011150906.tif 000002
【特許請求の範囲】
【請求項１】
本体上面に設けられたトッププレートと、
該トッププレートの周囲に接着されたトッププレート枠と、
本体内に配置された誘導加熱コイルと、
基板と、
前記誘導加熱コイルと前記基板の排気部と、
前記トッププレート枠に設け前記排気部と連通する排気口を備える誘導加熱調理器において、
前記本体後部に電気オーブンの排気筒挿入用の開口部を設け、該開口部は前記排気部と連通し、前記開口部を塞ぐ排気筒挿入カバーを設け、前記排気部内の上向き面に固定孔を設け、前記電気オーブンを使用せず前記排気筒を装着しない場合に前記排気口の上から前記排気筒挿入カバーを前記排気部内の前記固定孔に前記固定ネジで固定して前記開口部を塞ぎ、前記電気オーブンの前記排気筒を前記排気口から前記開口部に挿入して設置する際に前記排気口の上から前記排気筒カバーを取外しでき前記排気筒を前記固定孔に固定ネジで固定できることを特徴とする誘導加熱調理器。
【請求項２】
被加熱物を載置するためのトッププレートと、
該トッププレートの下方に設けられた誘導加熱コイルと、
該誘導加熱コイルを冷却する冷却風を供給する送風ファンと、
前記トッププレートの後方に設けられ、前記誘導加熱コイルを冷却した排気を排気する排気口と、
前記誘導加熱コイルから前記排気口に至る流路の一部を封鎖する排気筒挿入カバーと、
該排気筒挿入カバーを固定する固定ネジと、
を備えた誘導加熱調理器であって、
前記固定ネジ、および、前記排気筒挿入カバーは、前記排気口を介して上方から取り外しできることを特徴とする誘導加熱調理器。
【請求項３】
請求項２に記載の誘導加熱調理器において、
前記排気筒挿入カバーを取り外したときに、前記誘導加熱調理器を上下に貫通する開口部が開口することを特徴とする誘導加熱調理器。
【発明の詳細な説明】
【技術分野】
【０００１】
本発明は、下方に組み込み式の電気オーブンを設置可能な、組み込み式の誘導加熱調理器に関する。
【背景技術】
【０００２】
いわゆるオール電化住宅では、システムキッチンに組み込んだ誘導加熱調理器（ＩＨクッキングヒータ）の下方に、電気オーブンが組み込まれる場合がある。
【０００３】
この場合、電気オーブンの排気（熱気）がシステムキッチン内に排出されるのを防ぐため、電気オーブンの排気（熱気）をシステムキッチンの外部に排出する排気筒を設ける必要がある。このような排気筒の装着に対応した誘導加熱調理器の例として、２００９年８月に発売が開始された、日立アプライアンス（株）製  ＨＴ−Ｄ２０ＴＳがある。この構成を図９，図１０を用いて説明する。
【０００４】
システムキッチンに電気オーブンを組み込まない場合は、図９に示すように、排気筒挿入カバー１２０が本体１０２の背面から固定ネジ１２１でネジ止めされた状態でシステムキッチンに組み込まれる。
【０００５】
一方、システムキッチンに電気オーブンを組み込む場合は、図１０に示すように、排気筒挿入カバー１２０や固定ネジ１２１を取り外した状態でシステムキッチンに組み込まれる。図１０に示す状態のとき、本体１０２を上下に貫通する開口部１０２ａが開口しているので、電気オーブンの排気は、開口部１０２ａを通して設けられる排気筒を介してシステムキッチンの外部に排出することができる。
【０００６】
なお、日立アプライアンス（株）製  ＨＴ−Ｄ２０ＴＳの上記構成に関する公知文献は存在しないため、先行技術文献の添付は省略する。
【発明の概要】
【発明が解決しようとする課題】
【０００７】
図９，図１０に示す従来の誘導加熱調理器では、排気筒挿入カバー１２０を本体１０２の後方から固定ネジ１２１で固定しているので、システムキッチンに本体１０２を組込んだ状態で固定ネジ１２１を外すことはできなかった。このため、電気オーブンを追加して設置する際に開口部１０２ａを開口させたい場合には、本体１０２の背面にある固定ネジ１２１にアクセスするため、本体１０２をシステムキッチンから一度取外す必要があり、作業性が非常に悪かった。
【０００８】
本発明は、誘導加熱調理器が組み込まれたシステムキッチンに電気オーブンを追加して設置する際の作業性を高めることができる誘導加熱調理器を提供することを目的とする。
【課題を解決するための手段】
【０００９】
本発明は上記の課題を解決するためになされたものであり、請求項１では、本体上面に設けられたトッププレートと、該トッププレートの周囲に接着されたトッププレート枠と、本体内に配置された誘導加熱コイルと、基板と、前記誘導加熱コイルと前記基板の排気部と、前記トッププレート枠に設け前記排気部と連通する排気口を備える誘導加熱調理器において、前記本体後部に電気オーブンの排気筒挿入用の開口部を設け、該開口部は前記排気部と連通し、前記開口部を塞ぐ排気筒挿入カバーを設け、前記排気部内の上向き面に固定孔を設け、前記電気オーブンを使用せず前記排気筒を装着しない場合に前記排気口の上から前記排気筒挿入カバーを前記排気部内の前記固定孔に前記固定ネジで固定して前記開口部を塞ぎ、前記電気オーブンの前記排気筒を前記排気口から前記開口部に挿入して設置する際に前記排気口の上から前記排気筒カバーを取外しでき、前記排気筒を前記固定孔に固定ネジで固定できるものである。
【発明の効果】
【００１０】
本発明の請求項１によれば、電気オーブンを使用しない場合には、本体の排気筒を挿入する開口部は排気筒カバーで閉塞されるため、システムキッチン内に排気が漏れず、温度上昇することなく使い勝手が良く、本体の上面に連通する通路がないため、本体上面で隣接する吸気口や排気口に虫が侵入する恐れがなくなり、故障を防止できる。
【００１１】
また、上記排気筒の周囲を包囲する仕切板が不要でコスト高を抑えることができる。
【００１２】
また、排気筒挿入カバーと排気筒を本体の内部で固定ネジにて固定するため、トッププレートやトッププレート枠などの外観に傷が付かず、顧客に不満感を与えることがない。
【００１３】
また、システムキッチンに本体を組込んだ後に電気オーブンを追加して設置する場合に、本体をシステムキッチンから外すことなく排気口の上から前記排気筒カバーが着脱できるので、作業性が大変良く、システムキッチンに傷が付かず、顧客に不満感を与えることがない。
【００１４】
また、固定ネジでネジ締めしていた固定孔に、前記固定ネジでネジ止めするので、ネジ締めし易く確実な作業ができる。
【００１５】
また、電気オーブンとの組合せ使用を止め、電気オーブンを撤去して本体だけで使用する場合にも、開口部を排気筒カバーで閉塞する修復も作業性が良く確実な作業でできるので、本体を不自由なく使用できる。
【図面の簡単な説明】
【００１６】
【図１】上部に誘導加熱調理器を組み込み、下部に電気オーブンを組み込んだ、システムキッチンの概略図である。
【図２】一実施例の誘導加熱調理器の外観斜視図である。
【図３】トッププレートを外した状態の、一実施例の誘導加熱調理器の斜視図である。
【図４】排気口のガードを外した状態の、一実施例の誘導加熱調理器の上面図である。
【図５】誘導加熱調理器と電気オーブンを接続する第１工程を示す斜視図である。
【図６】誘導加熱調理器と電気オーブンを接続する第２工程を示す斜視図である。
【図７】誘導加熱調理器と電気オーブンを接続する第３工程を示す斜視図である。
【図８】誘導加熱調理器と電気オーブンを接続する第４工程を示す斜視図である。
【図９】排気筒挿入カバーを取り付けた状態の、従来の誘導加熱調理器の斜視図である。
【図１０】排気筒挿入カバーを取り外した状態の、従来の誘導加熱調理器の分解斜視図である。
【発明を実施するための形態】
【００１７】
以下、本発明の実施例を図面に従って説明する。
【００１８】
図１において、１はシステムキッチンで、天板に設けた上面開口部１ａ、前面上部に設けた前面開口部１ｂ、前面下部に設けた門状の下開口部１ｃの３つの開口部を備えている。２は上面開口部からシステムキッチン１の上部に組み込まれ、前面開口部１ｂから前面が露出する誘導加熱調理器の本体である。
【００１９】
また、５０は下開口部１ｃからシステムキッチン１の下部に組み込まれた電気オーブンである。なお、電気オーブンに代え、電子レンジ機能を備える電気オーブンレンジを用いてもよい。
【００２０】
図２において、３は本体２の上面に配置された、耐熱ガラス等からなるトッププレートで、調理を行う際の調理鍋（図示せず）を載置するものである。４は金属製のトッププレート枠で、シリコン等によりトッププレート３の周囲に接着されている。本体２をシステムキッチン１に組み込んだときには、天板の上面開口部１ａの周縁部にトッププレート枠４が当接することによって、本体２が吊られ保持される。６はトッププレート３の上面に設けられた載置部で、調理時に調理鍋を載置して加熱調理する位置を示すものであり、手前に右載置部６ａと左載置部６ｂ、奥に中央載置部６ｃが配置されている。１７は本体２の左側下部に設けられたロースタで魚等の焼き物調理をする調理庫である。１０は上部操作部で、載置部６の火力や自動調理などを設定する。１１は上部表示部で、上部操作部１０の設定内容や加熱の状態を表示する。なお、上部操作部１０，上部表示部１１は、トッププレート枠４に設けてもよいし、トッププレート３の前面側に直接設けてもよい。５は本体２の右側下部に設けられた前操作表示部で、誘導加熱調理器のオンオフを制御する電源スイッチが設けられている。図２では、前操作表示部５として、前面に電源のスイッチとＬＥＤ等の表示装置を備えたものを図示するが、下辺を軸に開閉する、いわゆるカンガルー式の開閉機構を備え、開状態のときにロースタ１７に対応する操作部や表示部が露出するものでもよい。
【００２１】
７は吸気口で、本体２のトッププレート枠４の後部に設けられ、外気を本体２内に吸い込むところであり、吸気口７から吸い込んだ空気を使用して本体２の内部の誘導加熱コイル１５や基板１８を冷却するものである。８は排気口で、本体２のトッププレート枠４の後部で吸気口７の隣に設けられ、吸気口７から吸い込んで送風ファン（図示せず）で送る空気で誘導加熱コイル１５や基板１８を冷却した後の温度上昇した空気を本体２の外部に排気するところである。９は吸気口７と排気口８を覆うようにトッププレート枠４に載置されたガードで、本体２内部への異物の侵入を防止している。
【００２２】
図３は、トッププレート３を外した状態の本体２の斜視図である。ここに示すように、右載置部６ａ，左載置部６ｂ，中央載置部６ｃの各々の下方には、誘導加熱コイル１５ａ，１５ｂとラジエントヒータ１６ｃが配置され、これらによってトッププレート３上に載置される調理鍋が加熱される。なお、中央載置部６ｃの下面にはラジエントヒータ１６ｃに代えて誘導加熱コイルを配置してもよい。
【００２３】
１４は吸気口７の下方に位置する吸気部で、図示しない送風ファンの吸入部に連通する。１３は排気口８の下方に位置する排気部で、誘導加熱コイル１５ａ，１５ｂや基板１８を冷却し温度上昇した空気を排気する部分である。１２は下部はロースタ１７に連通し、上部は排気口８に連通したロースタ排気部である。排気部１３はロースタ排気部１２の左右を挟むように配置されており、ロースタ排気部１２からの排気は排気部１３の排気と交じり合って本体２の外部に排気する。
【００２４】
図４において、２０は排気部１３の一部を封鎖する排気筒挿入カバーである。２２は排気筒挿入カバー２０を固定ネジ２１（デルタイトネジなど）で固定するための固定孔で、排気部１３に上面向きに設けられている。
【００２５】
以上の構成において、システムキッチン１に本体２を設置した後に、電気オーブン５０を追加して設置し、電気オーブン５０の排気を誘導加熱調理器の本体２の排気口８から排出するために必要な排気筒５１を取り付けるための設置工程を図５から図８を用いて説明する。なお、本体２はシステムキッチン１に組み込まれているものとするが、説明のためシステムキッチン１の表示は省略する。
【００２６】
図５は、排気筒挿入カバー２０を固定する固定ネジ２１に工具でアクセスできるようガード９を取り外す、第一工程を示す図であり、本体２を後方から見た斜視図である。図５に示すように、排気口８の下方には排気筒挿入カバー２０が設けられている。
【００２７】
図６は、固定ネジ２１を取り外した後、排気筒挿入カバー２０を取り外す、第二工程を示す図である。ここに示すように、排気筒挿入カバー２０は、孔２０ｄを備える固定片２０ａを上部左側に設け、さらに、奥側に垂直面と傾斜面で成す蓋部２０ｃ、および、蓋部２０ｃを囲む下部と左右に当接部２０ｂを備えている。図４および図５で示したように、排気筒挿入カバー２０が固定されているときには、固定片２０ａの孔２０ｄに固定ネジ２１を通し固定孔２２に固定されている。
【００２８】
排気筒挿入カバー２０を取り外すため、まず、排気口８の上部からドライバ先端を挿入して固定ネジ２１を外す。次に、排気筒挿入カバー２０の当接部２０ｂを本体２の当接部２ｂから外す。最後に排気口８の上部から排気筒挿入カバー２０の蓋部２０ｃを掴み、上方へ引き上げて取り出す。この工程によって開口部２ａが開口する。この開口部２ａの下部と左右には当接部２ｂを備えられている。つまり、第２工程以前においては、排気筒挿入カバー２０の蓋部２０ｃと開口部２ａの当接部２ｂとが当接することによって、開口部２ａが封鎖されている。このため、排気部１３を流れる排気がシステムキッチン内に漏れ出すことが防がれている。
【００２９】
図７は、電気オーブン５０の排気口に連結するための排気筒５１を本体２に挿入する第三工程を示す図である。本実施例の排気筒５１は、金属製で略四角形の筒で、上下方向の中程の左側に固定片５１ａを備え、固定片５１ａには孔５１ｂが設けられる。５１ｃは排気筒５１の下端部で、電気オーブン５０の後部上面に備える排気口５０ａに排気筒５１の下端部５１ｃを嵌め込んで接続する部分である。上述したように、開口部２ａが開口しているので、この開口部２ａに排気筒５１を挿入することができる。
【００３０】
図８は、排気筒５１を本体２に固定する第四工程を示す図である。まず、図７で示したように、排気筒５１を下端部５１ｃを下向きに固定片５１ａを左にする姿勢で、排気口８の上部から排気部１３に挿入する。次に、排気筒５１を本体２の当接部２ｂに囲まれた開口部２ａに挿入する。この結果、排気筒５１の孔５１ｂと本体２の固定孔２２が嵌合するように、排気筒５１が挿入されることとなる。その後、電気オーブン５０の排気口５０ａに排気筒５１をしっかり嵌め込む。次いで、排気口８の上部からドライバ先端を挿入し、本体２の固定孔２２に排気筒５１の固定片５１ａを固定ネジ２１で固定する。第四工程により、本体２の開口部２ａは排気筒５１により塞がれた状態になる。
【００３１】
本実施例は以上の構成よりなるもので、ここでは、本体２の下部に電気オーブン５０を設置した例で、調理鍋（図示せず）を本体２の左の誘導加熱コイル１５ｂに対向したトッププレート３の左載置部６ｂに載置した場合の加熱調理時の動作について説明する。
【００３２】
水等の被加熱物の入った調理鍋を、トッププレート３上に載置し、本体２の前操作表示部５に設けられた電源スイッチを入れ、誘導加熱コイル１５ｂに対応した火力調整用の上部操作部１０を調整して調理鍋の加熱を行うと、その調整量に応じて誘導加熱コイル１５ｂに流れる電流量が制御され、調理鍋の加熱が開始され、上部表示部１１にその火力調整量が表示される。
【００３３】
加熱が開始されると、送風ファンが駆動して吸気口７から本体２内部に冷却風を吸い込み、誘導加熱コイル１５ｂや基板１８を冷却する。排気部１３から排気口８を経て本体２の外へ放出される。
【００３４】
なお、電気オーブン５０を併用した場合には、電気オーブン５０の後部上面の排気筒５１に接続された排気筒５１から排気が流れ、本体２の排気部１３から放出する排気に左右に挟まれて、排気口８に流れ、排気口８を経て本体２の外へ放出される。
【００３５】
なお、上記した動作は、トッププレート３の右載置部６ａに調理鍋を載置した場合においても同様であり、説明を省略する。
【００３６】
また、誘導加熱コイル１５ａ，１５ｂ、ラジエントヒータ１６ｃ及びロースタ１７，電気オーブン５０を使用しての具体的調理方法については、公知であり、説明を省略する。
【００３７】
以上説明したように、上記実施例によれば、本体２後部に電気オーブン５０の排気筒５１挿入用の開口部２ａを設け、開口部２ａは排気部１３と連通し、開口部２ａを塞ぐ排気筒挿入カバー２０を設け、排気部１３内の上向き面に固定孔２２を設け、電気オーブン５０を使用せず排気筒５１を装着しない場合に排気口８の上から排気筒挿入カバー２０を排気部１３内の固定孔２２に固定ネジ２１で固定して開口部２ａを塞ぎ、電気オーブン５０の排気筒５１を排気口８から開口部１３に挿入して装着する際に排気口８の上から排気筒挿入カバー２０を取外しでき、排気筒５１を固定孔２２に固定ネジ２１で固定できることにより、
電気オーブン５０を使用しない場合には、本体２の排気筒５１を挿入する開口部２ａは排気筒挿入カバー２０で閉塞されるため、システムキッチン１内に排気が漏れず、温度上昇することなく使い勝手が良いだけでなく、本体２の上面に連通する通路がないため、本体２上面で隣接する吸気口７や排気口８に虫が侵入する恐れがなくなり、故障を防止できる。
【００３８】
また、排気筒５１の周囲を包囲する仕切板が不要でコスト高を抑えることができる。
【００３９】
また、排気筒挿入カバー２０と排気筒５１を本体２の内部で固定ネジ２１にて固定するため、トッププレート３やトッププレート枠４などの外観に傷が付かず、顧客に不満感を与えることがない。
【００４０】
また、システムキッチン１に本体２を組込んだ後に電気オーブン５０を追加して設置する場合に、本体２をシステムキッチン１から外すことなく排気口８の上から排気筒挿入カバー２０を着脱できるので、作業性が大変良く、システムキッチン１に傷を付けず、顧客に不満感を与えることがない。
【００４１】
また、固定ネジ２１でネジ締めしていた固定孔２２に、固定ネジ２１でネジ止めするので、ネジ締めし易く確実な作業ができる。
【００４２】
また、電気オーブン５０との組合せ使用を止め、電気オーブン５０を撤去して本体２だけで使用する場合にも、開口部２ａを排気筒挿入カバー２０で閉塞する修復も作業性が良く確実な作業でできるので、本体２を不自由なく使用できる。
【符号の説明】
【００４３】
２  本体
２ａ  開口部
３  トッププレート
４  トッププレート枠
８  排気口
１２  ロースタ排気部
１３  排気部
１５  誘導加熱コイル
１７  ロースタ
１８  基板
２０  排気筒挿入カバー
２１  固定ネジ
２２  固定孔
５０  電気オーブン
５１  排気筒
【図１】
2011150906.tif 000003
【図２】
2011150906.tif 000004
【図３】
2011150906.tif 000005
【図４】
2011150906.tif 000006
【図５】
2011150906.tif 000007
【図６】
2011150906.tif 000008
【図７】
2011150906.tif 000009
【図８】
2011150906.tif 000010
【図９】
2011150906.tif 000011
【図１０】
2011150906.tif 000012